(57)【特許請求の範囲】
【請求項１】
透孔布帛に、金属箔を転写して接着させた金属箔付透孔布帛において、
金属箔は、転写前の一様な転写素材の状態で、透孔布帛に接着させない表面側に、金属箔の光沢を低下させる艶消し層を形成しておき、
艶消し層は、金属箔を透孔布帛に接着させる裏面側を、透孔布帛を介して見るときの光沢と同等となるように、光沢を低下させる、
ことを特徴とする金属箔付透孔布帛。
【請求項２】
前記金属箔の前記裏面側には、着色層を有し、
前記艶消し層は、該着色層に、艶消し剤を含む、
ことを特徴とする請求項１記載の金属箔付透孔布帛。
【請求項３】
前記金属箔は、アルミニウムの蒸着箔であり、
前記着色層は、アルミニウムを金色に着色する、
ことを特徴とする請求項２記載の金属箔付透孔布帛。
【発明の詳細な説明】
【技術分野】
【０００１】
本発明は、紗織などの透孔布帛に装飾用の金属転写箔を付着させた金属箔付透孔布帛に関する。
【背景技術】
【０００２】
従来から、図４に示すような仏壇１には、本体２の前面を開閉する扉３とともに内障子４が備えられ、内障子４には、図５に示すような金属箔付透孔布帛５が用いられている。仏壇１を寺院に見立てると、扉３は山門に相当する。内障子４は、扉３とは独立して開閉可能であり、図４に示すような開放状態は、本体２の内陣を開放することに相当する。内障子４を閉じても内陣が見通せるように、内障子４には沙織りのような透孔布帛６が装着される。内障子４は、図４に示すような開いた状態にもなるので、装飾されている方が好ましい。このため、透孔布帛６の片面に、金属箔、あるいは金属箔の片面または両面に有色薄膜を積層した積層膜を部分転写して装飾模様付けした金属箔付透孔布帛５（たとえば、特許文献１参照）などが、内障子４に用いられる。透孔布帛６は、図５には部分的に散在しているように記載しているけれども、金属転写箔７の図示を明確にするためであり、実際には金属転写箔７の部分も含めて一様に存在している。
【０００３】
金属箔付透孔布帛５としては、レースなどの透孔を有するメッシュ生地に金属箔などの有色材を接着するメッシュ生地の装飾方法として提案されている（たとえば、特許文献２参照）方法を適用することも考えられる。この方法では、基板上に転写シートを介して、レース、オーガンジー、紗または絽などのメッシュ生地を重ね、メッシュ生地の表面上に塗布する接着剤で金属箔などの着色材を固定する。接着剤の凝固後に、メッシュ生地と転写シートとを引き剥がすと、メッシュ生地の表面側には着色材、裏面側には転写シートから分離した薄膜がそれぞれ接着される。
【先行技術文献】
【特許文献】
【０００４】
【特許文献１】特開２００５−１７８３３８号公報
【特許文献２】特開２０００−２３４２８３号公報
【発明の概要】
【発明が解決しようとする課題】
【０００５】
図４に示す内障子４に装着される金属箔付透孔布帛５は、格子状の枠に両側から挟まれて用いられるので、枠に関しては、開いた状態でも、閉じた状態でも、同程度に透かして見ることができる。しかしながら、特許文献１のように、透孔布帛６の片面に金属転写箔７を部分転写して接着している場合、開閉の一方で表面側から見ると金属転写箔７が直接見えるのに対し、開閉の他方で裏面側から見ると透孔布帛６を介して金属転写箔７が見える。さらに部分転写では、透孔布帛６と金属転写箔７との間にはパターン印刷された接着剤も介在するので、金属転写箔７の光沢が低下して見える。金属転写箔７が金色を呈するような場合、仏壇１を祀る雰囲気を考慮すると、むしろ光沢が低下する艶消し状態の方が渋く、上品であり、年代を感じさせて、意匠的に好ましい。
【０００６】
表面側を裏面側と同等の艶消し状態にするためには、転写後の金属転写箔７の表面に艶消しコーティングを施す必要がある。ただし、艶消しのコーティングを行うと加工工程が増えて生産コストが上昇してしまう。また、コーティングのためには、金属転写箔７を転写後の金属箔付透孔布帛５にテンションをかけて張る状態にしなければならずない。透孔布帛６はテンションで伸びたり縮んだりする柔軟性があるけれども、金属転写箔７は金属なので柔軟性がなく、透孔布帛６の伸縮に追従できない。このため透孔布帛６と金属転写箔７との密着が弱くなり、接着面積も小さいので、接着力が低下し、金属転写箔７にはクラックが発生する。さらにコーティングによる艶消しでは、クラックが多いところで金属転写箔７へのコーティング量にムラが生じ、艶消し状態が表裏で合わせにくくなる。したがって、転写後は加工を行わない方が好ましい。また、コーティング剤は樹脂を含むので、可燃物の量を増やすことになる。
【０００７】
特許文献２で、転写シートからメッシュ生地の裏面側に金属薄膜を転写して、メッシュ生地の両面に金属箔および金属薄膜を接着すれば、表裏で同等の金属光沢を得ることができると期待される。しかしながら、特許文献１のように片面に金属箔を接着する場合に比較して、製造工程が複雑になり、生産コストが上昇してしまう。
【０００８】
本発明の目的は、加工工程や可燃物を増やすことなく、表裏での金属光沢の差を小さくすることが可能な金属箔付透孔布帛を提供することである。
【課題を解決するための手段】
【０００９】
本発明は、透孔布帛に、金属箔を転写して接着させた金属箔付透孔布帛において、
金属箔は、転写前の一様な転写素材の状態で、透孔布帛に接着させない表面側に、金属箔の光沢を低下させる艶消し層を形成しておき、
艶消し層は、金属箔を透孔布帛に接着させる裏面側を、透孔布帛を介して見るときの光沢と同等となるように、光沢を低下させる、
ことを特徴とする金属箔付透孔布帛である。
【００１０】
また本発明で、前記金属箔の前記裏面側には、着色層を有し、
前記艶消し層は、該着色層に、艶消し剤を含む、
ことを特徴とする。
【００１１】
また本発明で、前記金属箔は、アルミニウムの蒸着箔であり、
前記着色層は、アルミニウムを金色に着色する、
ことを特徴とする。
【発明の効果】
【００１２】
本発明によれば、透孔布帛を接着させない金属箔の表面側に金属箔の光沢を低下させる艶消し層を形成しておくので、金属箔付透孔布帛の表裏での金属光沢の差を小さくすることが可能となる。金属箔は、転写前の一様な転写素材の状態で、透孔布帛に接着させない表面側に、金属箔の光沢を低下させる艶消し層を形成しておくので、艶消しのための加工工程や可燃物を増やすことを避けることができ、防炎性能を上げることができる。
また、艶消し層は、金属箔を透孔布帛に接着させる裏面側を、透孔布帛を介して見るときの光沢と同等となるように、光沢を低下させるので、金属箔付透孔布帛の表裏で、同等の艶消し状態に見えるようにすることができる。
【００１３】
また本発明によれば、金属箔の裏面側は、金属箔の光沢が透孔布帛で低下して見え、金属箔の表面側は、着色層に含まれる艶消し剤で金属箔の光沢が低下して、同等の光沢を得ることができる。
【００１４】
また本発明によれば、金属箔は、アルミニウムの蒸着箔であり、金色に着色して、金箔と同様な装飾効果を、低コストで実現することができる。
【図面の簡単な説明】
【００１５】
【図１】図１は、本発明の一実施例である金属箔付透孔布帛１０の模式的な構成を示す簡略化した断面図である。
【図２】図２は、図１の金属箔付透孔布帛１０に転写する素材の提供状態を模式的に示す簡略化した断面図である。
【図３】図３は、図１の金属箔付透孔布帛１０の表裏を模式的に示す正面図および背面図である。
【図４】図４は、従来からの仏壇１の概略的な正面図である。
【図５】図５は、図４の仏壇１の内障子４に使用する金属箔付透孔布帛５の例を示す部分的な正面図である。
【発明を実施するための形態】
【００１６】
以下、図１〜図３で、本発明の一実施例としての金属箔付透孔布帛１０について説明する。説明の便宜上、説明対象の図には記載されていない部分について、他の図に記載される参照符を付して言及する場合がある。
【実施例】
【００１７】
図１は、本発明の一実施例としての金属箔付透孔布帛１０の概略的な断面構成を模式的に示す。金属箔付透孔布帛１０は、アルミニウム蒸着箔１１の表面側に艶消し着色層１２、裏面側に着色層１３を形成した金属転写箔１４を、接着剤１５を介して紗織などの透孔布帛１６に付着させて形成し、図５の金属箔付透孔布帛５と同様に、図４の仏壇１に使用することができる。
【００１８】
金属転写箔１４は、一様な状態の素材として用意され、接着剤１５を金属転写箔１４上に予め作成される唐草模様などのパターンとなるように印刷して、金属転写箔１４の素材と透孔布帛１６とを積層する。接着剤１５の硬化後に、金属転写箔１４の素材を剥離すると、金属転写箔１４は接着剤１５を印刷したパターンの範囲で透孔布帛１６と接着している部分とその内側が残り、部分転写の状態となる。金属転写箔１４には、素材の段階で、表面側の光沢を低下させる艶消し着色層１２を厚みの変動が小さい一様な状態で形成することができるので、転写後に、艶消しのための加工工程や可燃物を増やすことを避けることができる。可燃物を増やさないので、たとえば４５度ミクロバーナー法の燃焼性試験で、防炎性能の向上を確認することができる。
【００１９】
図２は、図１での部分転写に使用する金属転写箔１４の素材としての提供状態を示す。金属転写箔１４は、基材シート１８の片面に離型剤１９の層を形成し、着色層１３を形成し、アルミニウムの蒸着によるアルミニウム蒸着箔１１を形成し、艶消し着色層１２を形成する。アルミニウム蒸着箔１１の厚さは、数百オングストローム〜数千オングストローム程度とする。艶消し着色層１２および着色層１３は黄色の顔料を合成樹脂液に分散させたものを一様に塗布して形成し、艶消し着色層１２には、さらに微粉末シリカゲルなどの艶消し剤を含むようにしておき、アルミニウム蒸着箔１１の見掛けが金箔に近くなるように着色する。艶消し着色層１２は、基材シート１８には、たとえばポリエチレンテレフタレート（ＰＥＴ）等の合成樹脂フィルムを使用することができる。
【００２０】
図３は、金属箔付透孔布帛１０の外観を模式的に拡大した状態で示す。（ａ）は表面側、（ｂ）は裏面側をそれぞれ示す。透孔布帛１６は、たとえば１ｍｍ程度に目を透かせた紗織りを使用する。表面側は、金属転写箔１４は、たとえば竹屋町唐草などの唐草模様や、連蓮柄、雲柄などを、部分転写で形成する。表面側では、艶消し着色層１２を介してアルミニウム蒸着箔１１が見えるので、艶消し状態の金色に見える。裏面側は、着色層１３を介してアルミニウム蒸着箔１１が見えるので、透孔布帛１６の目を透過する部分は光沢を有するように見えるけれども、透孔布帛１６の経糸や緯糸で覆われる部分もあるので、全体としては艶消し状態で見える。なお、顔料の色を変えれば、金箔とは異なる見掛けにすることもできる。
【００２１】
透孔布帛１６を接着させない金属転写箔１４の表面側に金属転写箔１４の光沢を低下させる艶消し着色層１２を形成しておくので、金属箔付透孔布帛１０の表裏での金属光沢の差を小さくすることが可能となる。金属転写箔１４は、図２に示す転写前の一様な転写素材の状態で、透孔布帛１６に接着させない表面側に、アルミニウム蒸着箔１１の光沢を低下させる艶消し着色層１２を形成しておく。透孔布帛１６を介して着色層１３およびアルミニウム蒸着箔１１を見るときの光沢と同等となるように、艶消し着色層１２の光沢の程度を調整しておけば、金属箔付透孔布帛１０は、表裏で同等の艶消し状態に見えるようにすることができる。さらに、着色層１３でも艶消しを行い、艶消し着色層１２の方が艶消しの程度が高くなるようにしておくこともできる。
【００２２】
なお、金属箔付透孔布帛１０は、透孔布帛１６として、沙織りばかりではなく、絽やレースなどを用いることもでき、室内装飾などに使用することもできる。金属転写箔１４は、アルミニウム蒸着箔１１ばかりではなく、アルミニウムの圧延箔を使用したり、他の金属の蒸着箔や圧延箔を使用したりすることもできる。
【符号の説明】
【００２３】
１０  金属箔付透孔布帛
１１  アルミニウム蒸着箔
１２  艶消し着色層
１３  着色層
１４  金属転写箔
１５  接着剤
１６  透孔布帛
【図１】
0006384836.tif 000002
【図２】
0006384836.tif 000003
【図３】
0006384836.tif 000004
【図４】
0006384836.tif 000005
【図５】
0006384836.tif 000006